(57)【特許請求の範囲】
【請求項１】
第１の連続シート及び第２の連続シートが、互いの端部を挟持するように折り畳まれる、折り畳み機構部１００組以上２００組以下を有する、マルチスタンド式インターフォルダを使用した箱入りティッシュペーパー製品の製造方法であって、
前記折り畳み機構部は、第２の連続シートを折り畳みつつ、第２の連続シートに第１の連続シートの一方端部を挟持させる、第１の折り板と、第１の連続シートを折り畳みつつ、直前の折り畳み機構部により折り畳まれた第２の連続シートの一方端部を、折り畳まれる第１の連続シートに挟持させる第２の折り板と、を有し、
少なくとも上流３分の２組に属する折り畳み機構部における第１の折り板の端部の幅方向の位置、及び第２の折り板の端部の幅方向の位置を、それぞれ第１の所定位置及び第２の所定位置に固定し、
下流３分の１組に属する折り畳み機構部の少なくとも一部における第１の折り板の端部の幅方向の位置を、前記第１の所定位置から第１の折り板の固定部方向の反対方向に向かって１ｍｍ以上１０ｍｍ以下変位させるとともに、
下流３分の１組に属する折り畳み機構部の少なくとも一部における第２の折り板の端部の幅方向の位置を、前記第２の所定位置から第２の折り板の固定部方向の反対方向に向かって１ｍｍ以上１０ｍｍ以下変位させ、
各組の折り畳み機構部に第１の連続シート及び第２の連続シートを供給して、各組の第１の連続シート及び第２の連続シートが順次連続的に積層された、折り畳み幅９５ｍｍ以上１１５ｍｍ以下のティッシュペーパーの積層体を得る、箱入りティッシュペーパー製品の製造方法。
【請求項２】
さらに、第１の折り板の端部の幅方向の位置及び第２の折り板の幅方向の位置を所定位置に固定した折り畳み機構部のうち、上流域の少なくとも一部の折り畳み機構部において、
第１の折り板の端部の幅方向の位置を、前記第１の所定位置から第１の折り板の固定部方向に向かって１ｍｍ以上１０ｍｍ以下変位させるとともに、
第２の折り板の端部の幅方向の位置を、前記第２の所定位置から第２の折り板の固定部方向に向かって１ｍｍ以上１０ｍｍ以下変位させる、請求項１に記載の箱入りティッシュペーパー製品の製造方法。
【請求項３】
第１の所定位置と第２の所定位置とが、幅方向に１ｍｍ以上１５ｍｍ以下離間している、請求項１又は２に記載の箱入りティッシュペーパー製品の製造方法。
【発明の詳細な説明】
【技術分野】
【０００１】
本発明は、高速操業に優れた箱入りティッシュペーパー製品の製造方法に関する。
【背景技術】
【０００２】
従来、ティシュペーパーを、いわゆるポップアップ方式で折り畳んだ積層体を紙製の収納箱に収納し、収納箱の天面にティシュペーパーの取出口を設けた箱入りティッシュペーパー製品が普及している。ポップアップ方式とは、複数プライ（例えば、２プライ）を１枚のティッシュペーパーとして、所定枚数のティッシュペーパーを積層させたティッシュペーパー製品において、上層及び下層に隣接するティッシュペーパーの端部を挟持するように、ティッシュペーパーを断面Ｖ字状又は断面Ｚ字状に折り畳むことにより、最上層のティッシュペーパーを取り出すと、その下層に位置するティッシュペーパーの端部が引き出される折り畳み方式であって、一般には、ロータリー式インターフォルダやマルチスタンド式インターフォルダといったティッシュペーパー折り機を用いて折り畳まれている。ポップアップ方式で折り畳まれた箱入りティッシュペーパー製品は、所定の寸法に切断されたティッシュペーパーが所定枚数積層されて収納箱に収納されており、取出口から１枚１枚のティッシュペーパーを連続して取り出し可能な構成となっている。
【０００３】
マルチスタンド式インターフォルダは、複数プライの二次原反ロールをティッシュペーパーの製品幅に切断して連続シートを用意し、２枚１対の連続シートを折り板で案内しながら互いに折り畳みつつ積層することにより、ポップアップ式のティッシュペーパー積層体を製造するものである（例えば、特許文献１参照）。マルチスタンド式インターフォルダは、ロータリー式インターフォルダと比較して設置面積が広くなるものの、ロータリー式インターフォルダと比較して高速で大量に箱入りティッシュペーパーを製造することができるため、より大量生産に適しているものとされている。
【０００４】
ここで、箱入りティッシュペーパーは大量消費される傾向にあるため、近年、容器包装の減量の観点から、一枚一枚のティッシュペーパーの品質、寸法、仕様を維持しつつ、収納箱を縮寸して減量化することが課題となっている。容器包装の減量に配慮した箱入りティッシュペーパー製品としては、例えば、特許文献２に、収納されたティッシュペーパーの枚数に対する収納箱の内側高さ寸法の比が４０／４００ｍｍ／枚以上６０／４００ｍｍ／枚以下であり、ティッシュペーパー１枚当たりのＪＩＳ  Ｐ  ８１１８で規定する厚さが０．０３０ｍｍ以上０．０４３ｍｍ以下である箱入りティッシュペーパー製品が開示されている。
【先行技術文献】
【特許文献】
【０００５】
【特許文献１】特許第４３１７５３９号公報
【特許文献２】特開２００１−２８６４１４号公報
【発明の概要】
【発明が解決しようとする課題】
【０００６】
しかしながら、ティッシュペーパーのシートサイズなどの仕様等を維持しつつ、特に収納箱の幅方向の縮寸や減量化を行うためには、ティッシュペーパー製品の操業性が大きく影響を受けることが判明した。したがって、本発明は、以上の課題に鑑みてなされたものであり、図８に示される、箱入りティッシュペーパー製品１０の収納箱に収納されたティッシュペーパー積層体１１の幅方向の寸法Ａ（ティッシュペーパー積層体１１の折り畳み幅）を縮寸しつつも、ティッシュペーパー製品の高速操業性に影響を与えない箱入りティッシュペーパー製品の製造方法を提供することを目的とする。
【課題を解決するための手段】
【０００７】
本発明の発明者らは、上記課題に鑑み、鋭意研究を行った。その結果、マルチスタンド式インターフォルダを使用した箱入りティッシュペーパー製品の製造方法において、折り畳み機構部に設けられる第１の折り板と第２の折り板の幅方向の位置をそれぞれ調整することにより、上記課題を解決できることを見出し、本発明を完成するに至った。具体的には、本発明は以下のものを提供する。
【０００８】
（１）本発明の第１の態様は、第１の連続シート及び第２の連続シートが、互いの端部を挟持するように折り畳まれる、折り畳み機構部１００組以上２００組以下を有する、マルチスタンド式インターフォルダを使用した箱入りティッシュペーパー製品の製造方法であって、前記折り畳み機構部は、第２の連続シートを折り畳みつつ、第２の連続シートに第１の連続シートの一方端部を挟持させる、第１の折り板と、第１の連続シートを折り畳みつつ、直前の折り畳み機構部により折り畳まれた第２の連続シートの一方端部を、折り畳まれる第１の連続シートに挟持させる第２の折り板と、を有し、少なくとも上流３分の２組に属する折り畳み機構部における第１の折り板の端部の幅方向の位置、及び第２の折り板の端部の幅方向の位置を、それぞれ第１の所定位置及び第２の所定位置に固定し、下流３分の１組に属する折り畳み機構部の少なくとも一部における第１の折り板の端部の幅方向の位置を、前記第１の所定位置から第１の折り板の固定部方向の反対方向に向かって１ｍｍ以上１０ｍｍ以下変位させるとともに、下流３分の１組に属する折り畳み機構部の少なくとも一部における第２の折り板の端部の幅方向の位置を、前記第２の所定位置から第２の折り板の固定部方向の反対方向に向かって１ｍｍ以上１０ｍｍ以下変位させ、各組の折り畳み機構部に第１の連続シート及び第２の連続シートを供給して、各組の第１の連続シート及び第２の連続シートが順次連続的に積層された、折り畳み幅９５ｍｍ以上１１５ｍｍ以下のティッシュペーパーの連続積層体を得る、箱入りティッシュペーパー製品の製造方法である。
【０００９】
（２）本発明の第２の態様は、（１）に記載の箱入りティッシュペーパー製品の製造方法であって、さらに、第１の折り板の端部の幅方向の位置及び第２の折り板の幅方向の位置を所定位置に固定した折り畳み機構部のうち、上流域の少なくとも一部の折り畳み機構部において、第１の折り板の端部の幅方向の位置を、前記第１の所定位置から第１の折り板の固定部方向に向かって１ｍｍ以上１０ｍｍ以下変位させるとともに、第２の折り板の端部の幅方向の位置を、前記第２の所定位置から第２の折り板の固定部方向に向かって１ｍｍ以上１０ｍｍ以下変位させることを特徴とする。
【００１０】
（３）本発明の第３の態様は、（１）又は（２）に記載の箱入りティッシュペーパー製品の製造方法であって、第１の所定位置と第２の所定位置とが、幅方向に１ｍｍ以上１５ｍｍ以下離間していることを特徴とする。
【発明の効果】
【００１１】
本発明においては、マルチスタンド式インターフォルダを使用した箱入りティッシュペーパー製品の製造方法において、折り畳み機構部に備えられる第１の折り板及び第２の折り板の幅方向の位置を調整したので、折り畳み幅の短いティッシュペーパーの積層体を高速操業で製造する場合であっても、ティッシュペーパーの連続積層体が厚みを増すにつれて幅方向にずれることを防止でき、高速操業下でも効率的に箱入りティッシュペーパー製品を製造することができる。
【図面の簡単な説明】
【００１２】
【図１】マルチスタンド式インターフォルダの折り畳み機構部において、連続シートを折り畳む様子を示した図面である。
【図２】マルチスタンド式インターフォルダの折り畳み機構部における、第１の折り板及び第２の折り板の配置を示す図面である。
【図３】第１の折り板が連続シートを折り畳む様子を示す図面である。
【図４】第１の折り板の平面斜視図である。
【図５】第２の折り板が連続シートを折り畳む様子を示す図面である。
【図６】第２の折り板の平面斜視図である。
【図７】マルチスタンド式インターフォルダにおける押さえロールを示す図面である。
【図８】箱入りティッシュペーパー製品の斜視図である。
【発明を実施するための形態】
【００１３】
以下、本発明を実施するための形態について、図面を参照して詳細に説明する。なお、以下に示す実施形態においては、同一の部材には同一の符号を付している。本明細書において、機械方向とは、箱入りティッシュペーパー製品１０の使用時に、その長軸方向となる方向を指し、図中、Ｙで示される方向である。また、幅方向とは、箱入りティッシュペーパー製品１０の使用時に、その短軸方向となる方向を指し、機械方向と直交する方向であって、図中、Ｘで示される方向である。
【００１４】
＜箱入りティッシュペーパー製品の製造方法＞
図１は、マルチスタンド式インターフォルダの折り畳み機構部１において、連続シートを折り畳む様子を示した図面である。本発明の箱入りティッシュペーパー製品１０の製造方法は、２枚１対の連続シート（第１の連続シート２及び第２の連続シート３）が、互いの端部を挟持するように、断面Ｖ字状又は断面Ｚ字状に折り畳まれる、折り畳み機構部１  １００組以上２００組以下を有するマルチスタンド式インターフォルダにより折り畳まれることにより、ティッシュペーパーの連続積層体８を得る工程を有し、各組の折り畳み機構部１に、第１の連続シート２及び第２の連続シート３を供給することにより、各組の第１の連続シート２及び第２の連続シート３が順次連続的に積層された、折り畳み幅Ａ９５ｍｍ以上１１５ｍｍ以下のティッシュペーパーの連続積層体８を得る製造方法である。ここで、折り畳み機構部１の数は、ティッシュペーパーの積層回数を表すものであり、１組の折り畳み機構部１で２枚のティッシュペーパーが積層されるため、例えば、折り畳み機構部１が１００組設けられている場合には、２００枚のティッシュペーパーが積層されることとなる。
【００１５】
［折り畳み機構部］
図２は、マルチスタンド式インターフォルダの折り畳み機構部１における、第１の折り板４及び第２の折り板５の配置を示す図面である。折り畳み機構部１は、ティッシュペーパーの積層枚数に応じて、１００組以上２００組以下が機械方向に直列して設置されており、各組の折り畳み機構部１には、２枚の折り板（第１の折り板４及び第２の折り板５）が設けられている。図３及び図４に示すように、第１の折り板４は、断面Ｊ字状の金属プレートから構成されており、その幅方向一方端部を、マルチスタンド式インターフォルダのバックスタンドフレーム６に固定されている（固定部７）。また、図５及び図６に示すように、第２の折り板５は、第１の折り板４の下流側に設けられており、平面略台形状の金属プレートから構成されていて、第１の折り板４と同様、幅方向一方端部を、マルチスタンド式インターフォルダのバックスタンドフレーム６に固定されている（固定部７）。本発明の箱入りティッシュペーパー製品１０の製造方法においては、第１の連続シート２及び第２の連続シート３が折り畳み機構部１に供給されると、第１の折り板４が、第２の連続シートを断面Ｖ字状又は断面Ｚ字上に折り畳みつつ、第２の連続シート３に第１の連続シート２の一方端部を挟持させる。そして、第１の折り板４の下流部において、第２の折り板５が、第１の連続シート２を断面Ｖ字状又は断面Ｚ字状に折り畳みつつ、直前の折り畳み機構部１により折り畳まれた第２の連続シート３の一方端部を、第２の折り板５により折り畳まれる第１の連続シート２に挟持させる。これにより、１枚の連続シートが断面Ｖ字状又はＺ字上に折り畳まれると共に、隣接する連続シートの端部を挟持して積層されたティッシュペーパーの連続積層体８が形成される。
【００１６】
ここで、箱入りティッシュペーパー製品１０をマルチスタンド式インターフォルダにて、高速操業下、製造しようとする際、箱入りティッシュペーパー製品１０の製造ラインにおいて、製品への紙粉の混入を防止する目的で、ティッシュペーパーの連続積層体８にエアを吹き付けることが行われている。このような状況で、容器包装の減量の観点から、図８に示すティッシュペーパーの積層体１１の折り畳み幅Ａを９５ｍｍ以上１１５ｍｍ以下に縮寸する場合、エアの影響によりティッシュペーパーの連続積層体の積層状態が不安定となって積層ずれが発生し、後の箱詰め工程に悪影響が生じることが見出された。このため、本発明においては、マルチスタンド式インターフォルダの折り畳み機構部１において、第１の折り板４及び第２の折り板５の幅方向の位置を調整することにより、折り畳み幅Ａを縮寸した箱入りティッシュペーパー製品１０であっても、従来どおり、高速操業下で効率的に箱入りティッシュペーパー製品１０を製造できることを見出した。
【００１７】
（第１の折り板）
本発明においては、少なくとも上流３分の２組に属する折り畳み機構部１における第１の折り板４の端部の幅方向の位置を、第１の所定位置に固定し、下流３分の１組に属する折り畳み機構部１の少なくとも一部における第１の折り板４の端部の幅方向の位置を、上述の第１の所定位置から、第１の折り板の固定部７方向の反対方向に向かって１ｍｍ以上１０ｍｍ以下変位させる。すなわち、下流３分の１組に属する折り畳み機構部１の少なくとも一部における第１の折り板４の端部は、他の折り畳み機構部１の第１の折り板４の端部よりも、マルチスタンド式インターフォルダのバックスタンドフレーム６から離れて固定されていることとなる。なお、マルチスタンド式インターフォルダにおいては、バックスタンドフレーム６側から紙粉の混入を防止するためのエアが吹き付けられる。このため、下流域の一部の折り畳み機構部１の第１の折り板４が、バックスタンドフレーム６から離れていることにより、ティッシュペーパーの連続積層体８の上層に積層されるティッシュペーパーをバックスタンドフレーム６から離して積層することができ、エアが吹き付けられて、下層部に積層されたティッシュペーパーの幅方向の位置がバックスタンドフレーム６の反対側にずれたとしても、全体として、ずれのないティッシュペーパーの積層体１１を得ることができる。
【００１８】
本発明においては、さらに、第１の折り板４の端部の幅方向の位置を第１の所定位置に固定した折り畳み機構部１のうち、上流域の少なくとも一部、好ましくは、全折り畳み機構部１の上流域３分の１の折り畳み機構部１において、第１の折り板４の端部の幅方向の位置を、第１の所定位置から第１の折り板４の固定部７方向に向かって１ｍｍ以上１０ｍｍ以下変位させることが好ましい。上流域の少なくとも一部の折り畳み機構部１において、第１の折り板４の端部の幅方向の位置を固定部７方向に向かって変位させることにより、各折り畳み機構部１に設けられる第１の折り板４が、上流から下流に向かって、バックスタンドフレーム６から離れるように変位する構成を実現することができ、よりずれのないティッシュペーパーの積層体１１を得ることができるようになる。
【００１９】
（第２の折り板）
本発明においては、少なくとも上流３分の２組に属する折り畳み機構部１における第２の折り板５の端部の幅方向の位置を、第２の所定位置に固定し、下流３分の１組に属する折り畳み機構部１の少なくとも一部における第２の折り板５の端部の幅方向の位置を、上述の第２の所定位置から、第２の折り板の固定部７方向の反対方向に向かって１ｍｍ以上１０ｍｍ以下変位させる。すなわち、下流３分の１組に属する折り畳み機構部１の少なくとも一部における第２の折り板５の端部は、他の折り畳み機構部１の第２の折り板５の端部よりも、マルチスタンド式インターフォルダのバックスタンドフレーム６から離れて固定されていることとなる。下流域の一部の折り畳み機構部１の第２の折り板５が、バックスタンドフレーム６から離れていることにより、ティッシュペーパーの連続積層体８の上層に積層されるティッシュペーパーをバックスタンドフレーム６から離して積層することができ、エアが吹き付けられて、下層部に積層されたティッシュペーパーの幅方向の位置がバックスタンドフレーム６の反対側にずれたとしても、全体として、ずれのないティッシュペーパーの積層体１１を得ることができる。
【００２０】
本発明においては、さらに、第２の折り板５の端部の幅方向の位置を第２の所定位置に固定した折り畳み機構部１のうち、上流域の少なくとも一部、好ましくは、全折り畳み機構部１の上流域３分の１の折り畳み機構部１において、第２の折り板５の端部の幅方向の位置を、第２の所定位置から第２の折り板５の固定部７方向に向かって１ｍｍ以上１０ｍｍ以下変位させることが好ましい。上流域の少なくとも一部の折り畳み機構部１において、第２の折り板５の端部の幅方向の位置を固定部７方向に向かって変位させることにより、各折り畳み機構部１に設けられる第２の折り板５が、上流から下流に向かって、バックスタンドフレーム６から離れるように変位する構成を実現することができ、よりずれのないティッシュペーパーの積層体１１を得ることができるようになる。
【００２１】
（第１の折り板及び第２の折り板の位置関係）
本発明においては、上述の第１の所定位置と、第２の所定位置とが、幅方向に１ｍｍ以上１５ｍｍ以下離間していることが好ましい。このような構成を採用することにより、折り畳み機構部１内で、第１の連続シート２と第２の連続シート３とを円滑に積層させることができるようになる。
【００２２】
なお、第１の折り板４及び第２の折り板５の端部の幅方向の位置を固定部７方向、又は固定部７方向の反対方向に変位させる場合、変位させる方向ごとに、各折り畳み機構部間での変位量を一定にすることが好ましい。例えば、第１の折り板４を固定部７方向に変位させる場合には、いずれの折り畳み機構部１においても一定の変位量だけ固定部７方向に変位させ、第１の折り板４を固定部７方向とは反対方向に変位させる場合には、いずれの折り畳み機構部１においても、一定の変位量だけ固定部７方向と反対方向に変位させることが好ましい。このように変位量を一定に維持することにより、各折り畳み機構部１において、第１の折り板４や第２の折り板５の変位量を最適化して調整する必要がなくなるため、製造ラインの調整に費やす手間とコストを低減することができる。
【００２３】
（その他）
図７は、マルチスタンド式インターフォルダにおける押さえロール９を示す図面である。本発明においては、第１の折り板４及び第２の折り板５の幅方向の位置の調整の他に、各折り畳み機構部１において、ティッシュペーパーの連続積層体８を機械方向に移動可能に挟持する押さえロール９の押さえ圧が、全ての折り畳み機構部１を通じて一定であることが好ましい。これにより、マルチスタンド式インターフォルダの全体を通じて、ティッシュペーパーの連続積層体８のずれを防止することができ、高速操業下での生産効率をより良好に維持することができる。
【００２４】
＜箱入りティッシュペーパー製品＞
図８に示すように、本発明の箱入りティッシュペーパー製品１０の製造方法により製造される箱入りティッシュペーパー製品１０は、ティッシュペーパーをポップアップ式に取り出し可能に交互に積層してなるティッシュペーパーの積層体１１と、ティッシュペーパーの積層体１１を収容する略直方体の収納箱からなるものである。そして、収納箱の天面には、ティッシュペーパーを取り出す取出口が開口しており、この取出口を覆うように、天面の内側にプラスチック製のフィルムが貼付されている。このフィルムには、取出口の長手方向に沿ってスリットが形成され、スリットを介してティッシュペーパーを取り出せるようになっており、フィルムによって埃等の混入防止が図られるとともに、ティッシュペーパー自体を取出し易くもしている。
【００２５】
なお、上述のように、各ティッシュペーパーは、断面Ｖ字状又は断面Ｚ字状に折り畳まれ、１枚のティッシュペーパーが上層及び下層に位置する隣接するティッシュペーパーの端部を挟持し、これにより、最上層のティッシュペーパーを取り出すことにより、その下層に位置するティッシュペーパーの端部が引き出されるように積層されている。なお、このポップアップ方式の折り畳み方法については、断面Ｖ字状又は断面Ｚ字状に折り畳む方式に限定されるわけではなく、ポップアップ方式が実現可能な範囲で、従来公知の任意の折り畳み方法を採用してもよい。
【００２６】
ティシュペーパーは、パルプを主成分とする坪量が８．５ｇ／ｍ２以上１６．０ｇ／ｍ２以下のプライを１枚又は２枚以上重ねてなる。プライ１枚当たりの坪量を上記範囲内のものとすることにより、ティッシュペーパーの坪量が適正に維持されるとともに、プライの強度が高くなり過ぎて柔らかさが低下することを防止し、使用感に優れるティッシュペーパー製品を提供することができるようになる。ティッシュペーパーを構成するプライの数は１枚以上４枚以下であることが好ましく、２枚であることがより好ましい。このため、本明細書において、ティッシュペーパー１枚と言及する際には、複数プライを積層したティッシュペーパー１枚を指すものとする。なお、本発明の箱入りティッシュペーパー製品１０の製造方法において、そのようなプライの数を有するティッシュペーパー製品を製造する場合には、所定の連続プライ（例えば２枚の連続プライ）が積層された２枚の連続シートを、第１の連続シート２及び第２の連続シート３として使用して、マルチスタンド式インターフォルダにてティッシュペーパーの積層体１１を製造する。
【００２７】
ティッシュペーパーの製造に用いられるパルプとしては木材パルプ、古紙パルプ、非木材パルプ等が挙げられるが、木材パルプ１００％からなるパルプが、特に品質面から好ましい。ティッシュペーパーの製造にあたっては、上記のパルプに、填料、合成繊維、天然繊維、乾燥紙力増強剤、湿潤紙力増強剤等を配合してもよい。目標とする品質を得るためには、ＮＢＫＰ：ＬＢＫＰ＝１０：９０から７０：３０（質量比）の木材パルプを原料とすることが好ましく、ＮＢＫＰ：ＬＢＫＰ＝２０：８０から６０：４０（質量比）の木材パルプを原料とすることがより好ましい。なお、上記ＬＢＫＰの材種としては、ユーカリ属グランディス及びユーカリグロビュラスに代表される、フトモモ科ユーカリ属から製造されるパルプが好ましい。木材パルプに古紙パルプを混合して使用する場合には、上記のＮＢＫＰ及びＬＢＫＰの木材パルプの合計１００質量部に対し、牛乳パック等に由来する古紙パルプを１３０質量部まで含ませることができる。古紙パルプを配合することで強度が向上しやすく、ティッシュペーパーの坪量が低くても適正な強度が得られる傾向にある。
【００２８】
なお、ティシュペーパーの適正な強度を確保するため、通常の手段で原料配合し、パルプ繊維の叩解処理にて強度調整を行ってもよい。その場合、叩解処理は、ストックインレット（ヘッドボックス）のパルプ原料のカナダ標準ろ水度（ＪＩＳ  Ｐ  ８１２１）が１００ｍｌ以上４５０ｍｌ以下となるように行うことが好ましい。カナダ標準ろ水度を上記範囲内のものとすることにより、坪量が低くても、適正な強度のティッシュペーパー製品を得ることができる。
【００２９】
ティッシュペーパー製品を製造するために、第１の連続シート２及び第２の連続シート３を製造するにあたっては、連続シートの折り畳み前に、カレンダー処理、エンボス加工処理、印刷等の各種の処理を施していてもよいし、これらの処理を施していなくてもよい。また、連続シートには、ローションを塗布してもよいし、ローションを塗布しなくてもよい。
【００３０】
本発明の箱入りティッシュペーパー製品１０は、ティッシュペーパーの折り畳み幅Ａが９５ｍｍ以上１１５ｍｍ以下であり、より好ましくは、１００ｍｍ以上１１０ｍｍ以下である。このような、より縮寸されたティッシュペーパーの積層体１１から製造される箱入りティッシュペーパー製品１０においては、収納箱の減量化が実現できるため、容器包装の減量に配慮した製品となるとともに、本発明の箱入りティッシュペーパー製品１０の製造方法によれば、高速操業下であっても、効率的に箱入りティッシュペーパー製品１０を製造することが可能である。
【符号の説明】
【００３１】
１      折り畳み機構部
２      第１の連続シート
３      第２の連続シート
４      第１の折り板
５      第２の折り板
６      バックスタンドフレーム
７      固定部
８      ティッシュペーパーの連続積層体
９      押さえロール
１０    箱入りティッシュペーパー製品
１１    ティシュペーパーの積層体
Ａ      ティッシュペーパー積層体の幅方向の寸法（折り畳み幅）
Ｘ      幅方向
Ｙ      機械方向
【図１】
0006678920.tif 000002
【図２】
0006678920.tif 000003
【図３】
0006678920.tif 000004
【図４】
0006678920.tif 000005
【図５】
0006678920.tif 000006
【図６】
0006678920.tif 000007
【図７】
0006678920.tif 000008
【図８】
0006678920.tif 000009